(57)【要約】【課題】スタートに関するデータを確実に管理することができるパチンコ機用管理装置を提供する。【解決手段】集中管理装置は、スタート入賞カウント処理を実行しており、スタート入賞信号が入力したときは（Ｓ１：ＹＥＳ）、スタートＴ（累計スタート入賞数）をインクリメントする（Ｓ２）。このとき、特賞信号の非入力中は（Ｓ３：ＮＯ）、スタートＡ（特賞中スタート回数）をインクリメントし（Ｓ４）、特賞信号の入力中は（Ｓ３：ＹＥＳ）、スタートＢ（通常スタート入賞数）をインクリメントする（Ｓ５）。これにより、スタート入賞数を、特賞時と通常時とに区別して管理することができる。【選択図】　図４
2004049629.tif 000002
【特許請求の範囲】
【請求項１】
特賞用役物を備えたパチンコ機の稼動データを集計管理するパチンコ機用管理装置において、
前記特賞用役物のスタートに関するデータを、通常時と特賞時とに区別して集計管理することを特徴とするパチンコ機用管理装置。
【請求項２】
前記特賞用役物のスタートに関するデータとして通常時の累計スタート入賞数と、特賞時の累計スタート入賞数とを求めることを特徴とする請求項１記載のパチンコ機用管理装置。
【請求項３】
前記特賞用役物のスタートに関するデータとして特賞１回当たりの平均スタート入賞数を求めることを特徴とする請求項１又は２記載のパチンコ機用管理装置。
【発明の詳細な説明】
【０００１】
【発明の属する技術分野】
本発明は、特賞用役物を備えたパチンコ機の稼動データを集計管理するパチンコ機用管理装置に関する。
【０００２】
【発明が解決しようとする課題】
従来、特賞用役物のスタートに関するデータを集計し、釘調整に役立てることが一般に行われており、スタートに関するデータとして例えばスタート入賞を集計することにより平均スタート回数を求めるようにしている。この場合、スタート入賞は、特賞時のスタート入賞を無視して単に累計し、その累計値を通常のスタート入賞数として管理するようにしている。これは、現状ではスタート保留数（保留玉数）の上限値が４と規定されていることから、特賞時のスタート入賞を無視してスタート入賞数を求め、そのスタート入賞数に基づいて平均スタート回数を求めるにしても、平均スタート回数に大きな誤差を生じることが無いからである。
【０００３】
しかしながら、スタート保留数の上限値が引き上げられたり、上限値そのものが廃止されたりした場合を想定すると、特賞時におけるスタート入賞数が大幅に増加することから、特賞時のスタート入賞数を無視すると、通常時のスタート入賞数の誤差が増大する。このため、スタート入賞数に基づく平均スタート回数の信頼性が低下し、正確な釘調整が困難となる。
【０００４】
本発明は上記事情に鑑みてなされたものであり、その目的は、スタートに関するデータを確実に管理することができるパチンコ機用管理装置を提供することにある。
【０００５】
【課題を解決するための手段】
本発明は、特賞用役物を備えたパチンコ機の稼動データを集計管理するパチンコ機用管理装置において、前記特賞用役物のスタートに関するデータを、通常時と特賞時とに区別して集計管理するものである（請求項１）。
【０００６】
このような構成によれば、特賞用役物のスタートに関するデータを、通常時と特賞時とに区別して集計管理することから、特賞時のスタートに関するデータが通常時のスタートに関するデータに支障を与えてしまうような場合であっても、支障を与えてしまうことなく確実に管理することができる。
【０００７】
上記構成において、前記特賞用役物のスタートに関するデータとして通常時の累計スタート入賞数と、特賞時の累計スタート入賞数とを求めるようにしてもよい（請求項２）。
このような構成によれば、特賞時の累計スタート入賞数を求めることから、パチンコ機としてスタート保留数の上限が引き上げられたり、廃止されたりした場合であっても、通常時の累計スタート入賞数の管理に支障を生じることはない。
【０００８】
また、前記特賞用役物のスタートに関するデータとして特賞１回当たりの平均スタート入賞数を求めるようにしてもよい（請求項３）。
【０００９】
【発明の実施の形態】
以下、本発明の一実施の形態について説明する。
図１は、全体構成を概略的に示している。この図１において、パチンコ機１に隣接して台間玉貸ユニット２が設けられている。この台間玉貸ユニット２は表示装置３を備えており、遊技客の操作に応じて遊技客が遊技しているパチンコ機１の稼動状態を表示したり、所望のパチンコ機１の稼動状態を表示したり、さらには遊技客が会員の場合は、遊技客の過去の遊技履歴を表示可能となっている。
【００１０】
２台のパチンコ機１及び台間玉貸ユニット２に対応してＩＯ装置４が設けられており、そのＩＯ装置４を通じて集中管理装置５が台間玉貸ユニット２毎の売上げを管理したり、パチンコ機１毎の稼動状態を管理したりするようになっている。
【００１１】
図２はパチンコ機１を示している。この図２において、パチンコ機１には操作ハンドル６が設けられており、その操作ハンドル６に対する操作により玉受皿７に貯留されているパチンコ玉を盤面８に発射することができる。
盤面８には複数の入賞孔９が設けられており、入賞孔９にパチンコ玉が入賞したときは所定数のセーフ玉が玉受皿７に放出される。
【００１２】
また、盤面８には特賞用役物としての図柄表示部１０が設けられており、スタート入賞孔１１にパチンコ玉が入賞したときはゲームの開始となり、図柄表示部１０に表示されている図柄パターンが更新表示される。この場合、図柄表示部１０に更新表示された図柄パターンが所定の特賞図柄パターンとなったときは、特賞の発生となり大入賞孔１２を所定条件が成立するまで開放するようになっている。従って、特賞が発生したときは、多数のセーフ玉が玉受皿７に放出されるので、遊技客は、多数のセーフ玉を短時間で獲得することができる。
ここで、本実施の形態のパチンコ機１では、スタート保留数（保留玉）の上限値は廃止されており、無制限となっている。従って、従来の保留玉ランプに代えて、スタート保留数を示す保留玉数表示部１３が設けられている。
【００１３】
図３はパチンコ機１の制御装置を概略的に示している。この図３において、制御装置１４はＣＰＵ１５を主体として構成されており、ＣＰＵ１５は、電源回路１６からの給電状態でリセット回路１７によるリセットが解除された場合に、ＲＯＭ１８に記憶されたプログラムに基づいて動作すると共に、ＲＡＭ１９にワーキングデータを記憶する。また、ＣＰＵ１５は、スタート入賞孔１１への入賞を検出するためのスタート入賞検出器２０及び大入賞孔１２への入賞を検出するための大入賞検出器２１からの検出信号を入力回路２２を通じて入力するようになっている。そして、ＣＰＵ１５は、出力回路２３を通じて保留玉数表示部１３に保留玉数を表示すると共に、適宜タイミングで大入賞孔１２を駆動し、さらにスピーカ２４から効果音を発生させる。
【００１４】
また、ＣＰＵ１５は、表示部駆動回路２５を通じて当選図柄を図柄表示部１０に表示すると共に、現在の動作状態を示す各種信号を情報出力部２６を通じて集中管理装置５に出力する。情報出力部２６から集中管理装置５に出力される信号としては、以下の信号が設定されている。
【００１５】
（１）スタート入賞信号……スタート入賞孔１１にパチンコ玉が入賞したときに１パルス出力
（２）スタート信号……図柄の変動が開始したときに１パルス出力
（３）図柄変動中信号……図柄表示部１０の図柄が変動している間レベル信号を出力
（４）特賞信号……特賞中レベル信号を出力
（５）アウト信号……打込まれたアウト玉が排出される毎に１パルス出力
（６）セーフ信号……セーフ玉が払出される毎に１パルス出力
（７）稼働信号……操作ハンドル２が操作されている間レベル信号を出力
【００１６】
ところで、従来はスタート保留数の上限値が例えば４個であり、特賞時のスタート入賞数は遊技客にとってもパチンコホールにとっても無視できる程度のものであるが、本実施の形態のパチンコ機１では、スタート保留数の上限値が廃止されていることから、特賞時のスタート入賞数を無視することはできない。
【００１７】
そこで、本実施の形態では、次のようにしてスタート入賞数を通常時と特賞時とに区別して管理するようにした。
図４は集中管理装置５の動作のうち本発明に関連したスタート入賞数カウント処理動作を示すフローチャートである。この図４において、集中管理装置５は、スタート入賞信号が入力したかを監視しており（Ｓ１）、スタート入賞信号が入力したときは（Ｓ１：ＹＥＳ）、スタートＴをインクリメントする（Ｓ４）。このスタートＴは、スタート入賞の累計をカウントするためのカウンタである。
【００１８】
続いて、特賞信号の入力中かを判断し（Ｓ３）、特賞信号の入力中でない通常時の場合は（Ｓ３：ＮＯ）、スタートＡをインクリメントする（Ｓ４）。このスタートＡは、通常時におけるスタート入賞数をカウントするためのカウンタである。また、特賞信号が入力中の特賞時の場合は（Ｓ３：ＹＥＳ）、スタートＢをインクリメントする（Ｓ５）。このスタートＢは、特賞時におけるスタート入賞数をカウントするためのカウンタである。
そして、集中管理装置５は、上述のようにして求めた稼動データに基づいて所定の帳票を作成する。
【００１９】
図５は、集中管理装置５が作成した帳票の一例を示している。この図５において、集中管理装置５は、アウト、ベース、出玉率、特賞、スタートＴ、スタートＡ、スタートＢ、Ｓ／Ａ、Ｓ／Ｔを求めて帳票データとして出力する。ここで、Ｓ／Ａとは通常時の１０分間当たりの平均スタート入賞数であり、釘調整として重要な指標である。また、Ｓ／Ｔとは特賞１回当たりの平均スタート入賞数であり、この数値が大きいほど、特賞時のスタート保留によるスタート回数が多くなる。この場合、遊技客にしてみれば、通常時のスタート入賞はもちろん特賞時のスタート入賞も気になることから、出来る限りＳ／Ｔが大きくなるように釘調整するのが望ましい。
【００２０】
このような実施の形態によれば、スタートに関するデータであるスタート入賞を通常時と特賞時とで個別に管理するようにしたので、特賞時の累計スタート入賞数を管理することができる。従って、パチンコ機の保留玉数が４個に制限されていることから、特賞時に増加した保留玉数を無視して管理していた従来のものと違って、本実施の形態のようにパチンコ機１のスタート保留数の上限が廃止されている場合であっても、通常時の累計スタート入賞数ひいては平均スタート入賞数を正確に管理することができ、釘調整を正確に行うことができる。
しかも、このように優れた効果を奏する構成としては、パチンコ機１から出力されている特賞信号を利用するようにしたので、コストが増加することなく容易に実施することができる。
【００２１】
本発明は、上記実施の形態に限定されるものではなく、パチンコ機としてスタート保留の上限値を従来のものに比較して引き上げたものに適用するようにしてもよい。
【００２２】
【発明の効果】
以上の説明から明らかなように、本発明のパチンコ機用管理装置によれば、特賞用役物のスタートに関するデータを、通常時と特賞時とに区別して集計管理するようにしたので、スタートに関するデータを確実に管理することができるという優れた効果を奏する。
【図面の簡単な説明】
【図１】本発明の一実施の形態における全体構成を示す概略図
【図２】パチンコ機の正面図
【図３】パチンコ機の制御装置を示す電気回路図
【図４】集中管理装置によるスタート入賞数カウント処理を示す図
【図５】集中管理装置による帳票作成の一例を示す図
【符号の説明】
１はパチンコ機、５は集中管理装置、１０は図柄表示部（特賞用役物）である。
【図１】
2004049629.tif 000003
【図２】
2004049629.tif 000004
【図３】
2004049629.tif 000005
【図４】
2004049629.tif 000006
【図５】
2004049629.tif 000007